(57)【要約】【課題】継ぎ足しされていない支柱と混用した場合でも施工に係わる作業が繁雑とならない継ぎ足し式防護柵支柱及び防護柵を提供する。【解決手段】表出柱部１と埋設柱部２とを継ぎ足して形成した継ぎ足し式防護柵支柱１０において、表出柱部１と埋設柱部２との外径が同一となされていることで、埋設柱部２を埋設する際に必要な力は同程度のものとなり、継ぎ足しされていない支柱と混用した場合でも施工に係わる作業が繁雑となることがないようにできる。【参照図】        図１【特許請求の範囲】
【請求項１】
地中に埋設される埋設柱部と、少なくとも一部が地上に顕れる表出柱部とを備え、前記表出柱部に前記埋設柱部が継ぎ足しされて一体となされ、該表出柱部にパネルやビーム等が取り付けられて防護柵が形成される防護柵支柱であって、前記埋設柱部と前記表出柱部との外径が同一となされていることを特徴とする継ぎ足し式防護柵支柱。
【請求項２】
前記埋設柱部は、上端付近が前記表出柱部の内径より稍々小さい外径となされた嵌挿部となされ、該嵌挿部が前記表出柱部に嵌着されて一体となされていることを特徴とする請求項１に記載の継ぎ足し式防護柵支柱。
【請求項３】
前記防護柵は、防護柵支柱の標準仕様の長さとして比較的短い短尺長さと比較的長い長尺長さとが設定され、前記表出柱部の長さが前記短尺長さとなされると共に、前記表出柱部に前記埋設柱部を継ぎ足した長さが前記長尺長さとなされることを特徴とする請求項１又は２に記載の継ぎ足し式防護柵支柱。
【請求項４】
前記表出柱部は、前記埋設柱部と共に在庫され、前記防護柵の発注に応じて前記表出柱部及び前記埋設柱部を出荷することが可能となされていることを特徴とする請求項１〜３のいずれかに記載の継ぎ足し式防護柵支柱。
【請求項５】
請求項１〜４のいずれかに記載の継ぎ足し式防護柵支柱を用いて形成されていることを特徴とする防護柵。
【発明の詳細な説明】
【技術分野】
【０００１】
本発明は、複数の柱体を継ぎ足して形成した継ぎ足し式防護柵支柱、及びそれを用いた防護柵に関するものである。
【背景技術】
【０００２】
従来、防護柵支柱を継ぎ足しして付け外しや取り付けにおける便宜を図る方法は種々開示又は実施されてきており、例えば特許文献１には、地中又は床面よりも下に埋設される基底部と、前記基底部の内部に収納可能であり、前記基底部から引き上げた状態で地面又は床面に対して略垂直に保持され、パネルの側面と係合する係合部を有する支柱部とで構成されている柵が開示されている。
【０００３】
【特許文献１】特開２００１−２６２５２６号公報
【発明の開示】
【発明が解決しようとする課題】
【０００４】
しかしながら、特許文献１に記載の如き従来の防護柵支柱では、埋設される部分と地上に顕れる部分では支柱の外径が異なることから、継ぎ足しがなされていない支柱と混用される場合には地中への埋設に必要な力が異なり、機械やその設定を変更する必要が生じて施工が煩雑なものとなる恐れがあった。
【０００５】
本発明は上記の如き課題に鑑みてなされたものであり、継ぎ足しされていない支柱と混用した場合でも施工に係わる作業が繁雑とならない継ぎ足し式防護柵支柱及び防護柵を提供せんとするものである。
【課題を解決するための手段】
【０００６】
上記目的を達成するため、本発明は以下のような構成としている。すなわち、本発明に係わる継ぎ足し式防護柵支柱は、地中に埋設される埋設柱部と、少なくとも一部が地上に顕れる表出柱部とを備え、前記表出柱部に前記埋設柱部が継ぎ足しされて一体となされ、該表出柱部にパネルやビーム等が取り付けられて防護柵が形成される防護柵支柱であって、前記埋設柱部と前記表出柱部との外径が同一となされていることを特徴とするものである。
【０００７】
また前記埋設柱部は、上端付近が前記表出柱部の内径より稍々小さい外径となされた嵌挿部となされ、該嵌挿部が前記表出柱部に嵌着されて一体となされていることを特徴とするものである。
【０００８】
また前記防護柵は、防護柵支柱の標準仕様の長さとして比較的短い短尺長さと比較的長い長尺長さとが設定され、前記表出柱部の長さが前記短尺長さとなされると共に、前記表出柱部に前記埋設柱部を継ぎ足した長さが前記長尺長さとなされることを特徴とするものである。
【０００９】
また前記表出柱部は、前記埋設柱部と共に在庫され、前記防護柵の発注に応じて前記表出柱部及び前記埋設柱部を出荷することが可能となされていることを特徴とするものである。
【００１０】
また本発明に係わる防護柵は、本発明請求項１〜４のいずれかに記載の継ぎ足し式防護柵支柱を用いて形成されていることを特徴とするものである。
【発明の効果】
【００１１】
請求項１に記載の本発明に係わる継ぎ足し式防護柵支柱によれば、表出柱部と埋設柱部との外径が同一となされていることで、埋設柱部を埋設する際に必要な力は同程度のものとなり、継ぎ足しされていない支柱と混用した場合でも施工に係わる作業が繁雑となることがないようにできる。
【００１２】
また請求項２の発明によれば、埋設柱部の嵌挿部が表出柱部に嵌着されることで、継ぎ足し部分の強度が高められると共に、表出柱部と埋設柱部とを一体とする作業を簡便なものとでき好ましい。
【００１３】
また請求項３の発明によれば、防護柵支柱を形成するにおいて、表出柱部が短尺長さと長尺長さとを兼ねることで、短尺長さの在庫期間を短縮してコストダウンに繋げることができ好ましい。
【００１４】
また請求項４の発明によれば、防護柵の発注に応じて表出柱部及び埋設柱部を出荷することで、納期の短縮が可能となり、また在庫期間を更に短縮してコストダウンを図ることができ好ましい。
【００１５】
また請求項５に記載の本発明に係わる防護柵によれば、継ぎ足しにより得られる種々の利点を生かしつつ、継ぎ足しされていない支柱と混用した場合でも施工に係わる作業が繁雑となることがないようになされた防護柵とすることができる。
【発明を実施するための最良の形態】
【００１６】
本発明に係わる最良の実施の形態について、図面に基づき以下に具体的に説明する。
【００１７】
図１は、本発明に係わる継ぎ足し式防護柵支柱の、実施の一形態を示すもので、イ）は地中に埋設された状態での全体を示す正面図、ロ）は継ぎ足し部分の詳細を示す断面図、ハ）は形成を示す斜視図である。まずイ）において、継ぎ足し式防護柵支柱１０は、円筒状の塗装鋼管である表出柱部１の下端から、同じく円筒状の塗装鋼管である埋設柱部２の、上端に設けられた嵌挿部２１が嵌着されて一体となされている。表出柱部１の上端には、反射体を備えたキャップＣが嵌着されている。本実施形態においては、埋設柱部２と、表出柱部１の下端付近とが土中Ｅに埋設されており、表出柱部１の下端付近が土中Ｅに埋設されることで継ぎ足し部分が顕れないようになされている。
【００１８】
継ぎ足し部分は、ロ）に示す如く嵌挿部２１の外径が表出柱部１の内径より稍々小さくなされ、嵌挿部２１の外面と表出柱部１の内面とが当接された状態となされていることで、継ぎ足し部分における継ぎ足し式防護柵支柱１０の強度が高められ、折れ曲がりの発生の恐れを小さくしている。
【００１９】
継ぎ足し式防護柵支柱１０は、ハ）に示す如く形成される。円筒状の鋼管である埋設柱部２の上端付近がスウェージ加工により絞り込まれて外径が細くなされるが、例えば表出柱部１が外径６０．５ｍｍで肉厚が３．２ｍｍの円筒状の鋼管である場合、埋設柱部２についても外径６０．５ｍｍの円筒状鋼管を用いるが、嵌挿部２１は表出柱部１の内径である５４．１ｍｍより稍々小さい５２．０ｍｍの外径となされる。表出柱部１に対して、嵌挿部２１は打ち込み等により嵌着するのみとしてもよいが、表出柱部１の内面と嵌着部２１の外面との間に接着剤等を充填して接着したり、ボルト止めやリベット止め等により締結して更に強固に一体化してもよい。
【００２０】
埋設柱部２の上端付近の外径を細くするのは、スウェージ加工により絞り込むことで鋼材への影響を少なくして均一な絞り込みを行うことができ好ましいが、スウェージ加工に限定されるものではなく、シールド加工や圧延加工、プレス加工、鍛造加工等により行うこともできる。
【００２１】
防護柵支柱は、鋼管を用いた場合には腐食の防止や美観の具備を目的としてめっきや塗装を施す必要があり、継ぎ足し式防護柵支柱１０を形成するにおいては、鋼管を継ぎ足した後にめっきや塗装を施してもよいが、表出柱部１及び埋設柱部２にめっきや塗装を施した後、表出柱部１への埋設柱部２の継ぎ足しを行うことで、表出柱部１及び埋設柱部２の保管中の腐食等による劣化を防止できる。
【００２２】
更にまた、埋設柱部２について腐食を防止する必要がある場合には、地中に埋設されることから美観について配慮する必要がなく、表出柱部１の色調が定められている場合でも、埋設柱部２についてはめっきのみを施すか、又は通常産業廃棄物として廃棄されるような種々の色調の塗料が混在する再利用塗料を用いて塗装を施したりすることができ、材料の節減やコストダウン、更には環境負荷の低減にも繋げることができる。
【００２３】
防護柵支柱は、全長が長くなるほどに保管時や在庫時に取り扱いの自由度が低くなるものであるが、本発明に係わる継ぎ足し式防護柵支柱１０は表出柱部１と埋設柱部２とに分割されて一体当たりの長さが短くなされることで、保管時や在庫時に取り扱いの自由度が高められる。また、受注を受けた時点で保管しておいた表出柱部１と埋設柱部２とを継ぎ足して継ぎ足し式防護柵支柱１０を形成し出荷すれば、納期対応が迅速となると共に現地での施工が迅速となる点で好ましい。更にまた、受注を受けた時点で保管しておいた表出柱部１と埋設柱部２とを出荷し、施工現場で継ぎ足しを行うようにすれば、出荷用の梱包状態での保管が可能となり、また輸送時の荷扱いが容易となる点で好ましい。
【００２４】
図２は、標準仕様の防護柵における設置場所の違いによる防護柵支柱の埋設の一例を示す断面図である。防護柵設置要綱のＰ種強度に基づいて、防護柵支柱ＳにビームＢを、最上段のビーム高さが１１００ｍｍになるように防護柵Ｆを設置し、防護柵支柱Ｓが地表から１１５０ｍｍ顕れているものを示しているが、設置場所がコンクリート基礎Ｋ１で、基礎が連続しているイ）の如き場合には２００ｍｍの埋め込み深さが必要となり、コンクリート基礎Ｋ２が支柱毎に独立しているロ）の如き場合は、イ）の場合より大きい４５０ｍｍの埋め込み深さが必要となる。設置場所が土面で土中への埋め込みがなされるハ）の如き場合は、コンクリートによる剛性及び重量の支持が期待できないことから、１２００ｍｍもの埋め込み深さが必要となり、当然のことながらイ）やロ）の場合と較べて防護柵支柱の長さは長いものとなる。
【００２５】
かかるハ）に示された比較的長い長尺長さの防護柵支柱に、本発明に係わる継ぎ足し式防護柵支柱を適用し、イ）又はロ）に示された比較的短い短尺長さの防護柵支柱を表出柱部とすることで、長尺長さの防護柵支柱と短尺長さの防護柵支柱との需要割合が予測と変動した場合でも、短尺長さの防護柵支柱が在庫として余剰となることが少なくなり、需要変動への対応が容易となると共に在庫を削減してコストダウンに繋げることができる。
【００２６】
図３は、ある防護柵における標準仕様の長さ毎の出荷割合を示す円グラフである。グラフに示したイ）〜ハ）は図２に示した防護柵支柱と対応するものであり、ニ）はベースプレートを用いて地表に固定するものであり地中への埋設が行われないものである。ここで上述の如く一番目に需要の大きいハ）を長尺長さの防護柵支柱、二番目に需要の大きいロ）を短尺長さの防護柵支柱とすることで、表出柱部を用いることができる割合は全体の７７％に及ぶこととなり、部材の共通性が高められて製造時や保管時における利便性が高められ、需要変動への対応が容易となる。
【図面の簡単な説明】
【００２７】
【図１】本発明に係わる継ぎ足し式防護柵支柱の、実施の一形態を示す説明図である。
【図２】防護柵の設置状況による埋め込み深さの違いを示す断面図である。
【図３】防護柵支柱の埋め込み深さ毎の出荷本数の一例を示す円グラフである。
【符号の説明】
【００２８】
１    表出柱部
２    埋設柱部
２１  嵌挿部
１０  継ぎ足し式防護柵支柱
【図１】
2006028851.tif 000002
【図２】
2006028851.tif 000003
【図３】
2006028851.tif 000004